(57)【要約】      （修正有）【課題】丸薬の形態の薬剤及び飲用流体の携行に有用であり、１回分の投薬を提供し、また使い捨てであるデバイスを提供する。【解決手段】第１半球部１８を有する第１容器と、第２半球部２０及びこの第２半球部２０と共に形成された円筒部１６を有する第２容器１４とを備える自蔵式投薬具１０。第１容器には少なくとも１つのタイプの薬剤５０（１錠以上の丸薬等）を入れ、第２容器１４には飲用液を入れる。第１容器は、ヒンジ部材２２によって、開放位置と閉鎖位置との間を枢動可能に、第２容器１４に連結される。第１シール３８を第１容器の第１半球部１８に結合させ、第２シール４０を第２容器１４の円筒部１６に結合させる。第１シール３８及び第２シール４０を剥がすと、薬剤５０を第１容器から取り出し、また飲用流体にアクセスすることができ、薬剤５０と飲用流体とを摂取できるようになる。【選択図】図４
2012245354.tif 000002
【特許請求の範囲】
【請求項１】
自蔵式投薬具であって、
第１容器と、
第１容器の一部である第１シールと、
第１容器に枢結され、第１容器と共に開放位置と閉鎖位置との間で動くように作動可能である第２容器と、
第２容器の一部であり、第１シールと共に第１容器と第２容器とを分離する第２シールと、
第１容器内に配置されうる所定タイプの薬剤と、
第２容器内に配置されうる飲用液と、を備え、
第１シールを第１容器から剥がし、第２シールを第２容器から剥がすと、第１容器内の薬剤と第２容器内の飲用液とが摂取可能となる
ことを特徴とする自蔵式投薬具。
【請求項２】
第１容器が、
第１半球部と、
第１半球部の一部として形成され、第１シールが取り付けられたリップと、を備える
請求項１に記載の自蔵式投薬具。
【請求項３】
第１シールに結合した第１タブを備え、
第１タブを引っ張って第１シールをリップから剥がすと、第１容器内の薬剤が露出する
請求項２に記載の自蔵式投薬具。
【請求項４】
第２容器が、
第２半球部と、
第２半球部と共に形成された円筒部と、
その円筒部の一部として形成され、第２シールが結合している上面と、を備える
請求項１に記載の自蔵式投薬具。
【請求項５】
第２シールに結合した第２タブを備え、
第２タブを引っ張って第２シールを上面から剥がすと、第２容器内の飲用液が露出する
請求項４に記載の自蔵式投薬具。
【請求項６】
ロック機構を備え、
第１容器と第２容器とが閉鎖位置にある時、ロック機構によって第１容器と第２容器との間に連結がもたらされる
請求項１に記載の自蔵式投薬具。
【請求項７】
ロック機構が、
第２容器の一部として形成されたくぼみと、
第１容器の一部として形成された張り出しリップと、
張り出しリップの一部として形成され、第１接触面を有する傾斜部と、
第２容器の一部として形成され、第１容器と第２容器とが閉鎖位置にある時に第１接触面と接触する第２接触面を有する傾斜リップと、
張り出しリップの一部として形成され、第１容器と第２容器とが閉鎖位置にある時に、第２容器の一部として形成されたレッジと選択的に接触させることができる底面と、を備え、
くぼみに近接した領域で底面に圧力を加えて張り出しリップ及び傾斜リップをたわませ、第１接触面を第２接触面にこすり付け、底面をレッジから持ち上げて第１容器を第２容器から分離すると、第１容器と第２容器とを開放位置に移動させることができる
請求項６に記載の自蔵式投薬具。
【請求項８】
第１容器を開放位置にロックすることができるロック構造を備える
請求項１に記載の自蔵式投薬具。
【請求項９】
ロック構造が、
第１たわみ部と、
第２たわみ部と、を備え、
第１たわみ部及び第２たわみ部によって、第１容器を、閉鎖位置にある時の第１容器の位置に対して１８０度の開放位置にロックする
請求項８に記載の自蔵式投薬具。
【請求項１０】
自蔵式投薬具であって、
第１容器と、
第２容器と、
第１容器と第２容器とが開放位置と閉鎖位置との間で移動可能となるように第１容器と第２容器とを枢結するヒンジ部材と、
そのヒンジ部材の一部であり、第１容器と第２容器とを開放位置にロックすることができるロック構造と、
第１容器の一部である第１シールと、
第２容器の一部である第２シールと、
第１シールを第１容器から剥がすと取り出して摂取できるように第１容器内に配置される薬剤と、
第２シールを第２容器から剥がすと取り出して摂取できるように第２容器内に配置される飲用液と、を備える
ことを特徴とする自蔵式投薬具。
【請求項１１】
第１容器の一部として形成された第１半球部と、
第１半球部の一部として形成され、第１シールが上に配置されているリップと、
第２容器の一部として形成された円筒部と、
第２容器の一部として形成され、円筒部に連結された第２半球部と、
円筒部の一部として形成され、第２シールが上に配置されている上面と、を備え、
第１シールをリップから剥がすと薬剤を第１容器から取り出すことができ、第２シールを上面から剥がすと飲用液を第２容器から取り出すことができる
請求項１０に記載の自蔵式投薬具。
【請求項１２】
第１シールに結合し、引っ張ると第１シールがリップから剥がれる第１タブと、
第２シールに結合し、引っ張ると第２シールが上面から剥がれる第２タブと、を備える
請求項１０に記載の自蔵式投薬具。
【請求項１３】
ロック機構を備え、
第１容器と第２容器とが閉鎖位置にある時、ロック機構によって第１容器と第２容器との間にスナップ嵌め連結がもたらされる
請求項１０に記載の自蔵式投薬具。
【請求項１４】
ロック機構が、
第２容器の一部として形成されたくぼみと、
第１容器の一部として形成された張り出しリップと、
張り出しリップの一部として形成され、第１接触面を有する傾斜部と、
第２容器の一部として形成され、第１容器と第２容器とが閉鎖位置にある時に第１接触面と接触する第２接触面を有する傾斜リップと、
張り出しリップの一部として形成され、第１容器と第２容器とが閉鎖位置にある時に、第２容器の一部として形成されたレッジと選択的に接触させることができる底面と、を備え、
くぼみに近接した領域で底面に圧力を加えて張り出しリップ及び傾斜リップをたわませ、第１接触面を第２接触面にこすり付け、底面をレッジから持ち上げて第１容器を第２容器から分離すると、第１容器と第２容器とを開放位置に移動させることができる
請求項１３に記載の自蔵式投薬具。
【請求項１５】
ロック構造が、
ロック構造の一部として形成された第１たわみ部と、
ロック構造の一部として形成された第２たわみ部と、を備え、
第１たわみ部及び第２たわみ部によって、第１容器を、閉鎖位置にある時の第１容器の位置に対して１８０度の開放位置にロックする
請求項１０に記載の自蔵式投薬具。
【請求項１６】
自蔵式投薬具であって、
第１半球部を有する第１容器と、
第２半球部及びこれと共に形成された円筒部を有する第２容器と、
第１容器を、開放位置と閉鎖位置との間で枢動可能なように第２容器に連結するヒンジ部材と、
第１容器と第２容器とを開放位置にロックすることができるロック構造と、
第１容器と第２容器とが閉鎖位置にある時、第１容器と第２容器との間にスナップ嵌め連結をもたらすロック機構と、
第１タブを有し、第１半球部に結合した第１シールと、
第２タブを有し、円筒部に結合した第２シールと、
第１容器内に配置される少なくとも１つのタイプの薬剤と、
容器内に配置される飲用液と、を備え、
第１シールの第１タブを引っ張って第１シールを第１容器から剥がすと、薬剤にアクセスすることができ、第２タブを引っ張って第２シールを第２容器から剥がすと、飲用流体にアクセスすることができ、薬剤と飲用流体とを摂取することができる
ことを特徴とする自蔵式投薬具。
【請求項１７】
ヒンジ部材が、第１半球部及び円筒部に連結される
請求項１６に記載の自蔵式投薬具。
【請求項１８】
ロック機構が、
円筒部の一部として形成されたくぼみと、
第１半球部の一部として形成された張り出しリップと、
張り出しリップの一部として形成され、第１接触面を有する傾斜部と、
円筒部の一部として形成され、第１容器と第２容器とが閉鎖位置にある時に第１接触面と接触する第２接触面を有する傾斜リップと、
張り出しリップの一部として形成され、第１容器と第２容器とが閉鎖位置にある時に、円筒部の一部として形成されたレッジと選択的に接触させることができる底面と、を備え、
くぼみに近接した領域で底面に圧力を加えて張り出しリップ及び傾斜リップをたわませ、第１接触面を第２接触面にこすり付け、底面をレッジから持ち上げて第１容器を第２容器から分離すると、第１容器と第２容器とを開放位置に移動させることができる
請求項１６に記載の自蔵式投薬具。
【請求項１９】
ロック構造が、
ロック構造の一部として形成された第１たわみ部と、
ロック構造の一部として形成された第２たわみ部と、を備え、
第１たわみ部及び第２たわみ部によって、第１容器を、閉鎖位置にある時の第１容器の位置に対して１８０度の開放位置にロックする
請求項１６に記載の自蔵式投薬具。
【請求項２０】
第１半球部の一部として形成され、第１シールが結合しているリップと、
円筒部の一部として形成され、第２シールが結合している上面と、を備え、
第１シールがリップに結合し、第２シールが上面に結合している時、第１シール及び第２シールによって第１容器と第２容器とが分離される
請求項１６に記載の自蔵式投薬具。
【発明の詳細な説明】
【技術分野】
【０００１】
本発明は、使い捨ての１回で使い切る投薬具に関する。この投薬具は２つの容器を有し、その一方には薬剤が収められ、もう一方には流体（水等）が収められるものである。
【背景技術】
【０００２】
必要な時に服用できるようにと旅行者が旅行に薬剤を携行するのはよくあることである。一部のタイプの薬剤は処方薬だが、他のタイプの薬剤は店頭で入手可能である（ｏｖｅｒ  ｔｈｅ  ｃｏｕｎｔｅｒ：ＯＴＣ）。数多くのタイプのＯＴＣ薬が丸薬の形態で販売されていて、数百錠もの丸薬が容器（瓶等）に入っている。しかしながら、丸薬を常に瓶ごと持ち歩くのは不便なことも多く、特に１錠または２錠しか必要としない場合に不便である。更に、殆どの丸薬は水または別のタイプの飲用流体と共に摂取するが、旅行中にすぐに手に入るとは限らない。更に、飛行機で旅行する場合、空港に持っていき機内に持ち込める液体の量には限度がある。通常は１日に１回または２回しか服用を必要としないため、丸薬を瓶ごと持ち歩く必要はない。加えて、１回または２回しか服用を必要としないなら、瓶ごと丸薬及び水を買うのは費用効率がよくない場合もある。
【０００３】
したがって、丸薬の形態の薬剤及び飲用流体の携行に有用であり、１回分の投薬を提供し、また使い捨てであるデバイスが必要とされている。
【発明の概要】
【課題を解決するための手段】
【０００４】
本発明は、自蔵式投薬具を対象とする。具体的には、本発明は自蔵式投薬具であり、この投薬具は、第１半球部を有する第１容器と、第２半球部及びこの第２半球部と共に形成された円筒部を有する第２容器とを含む。第１容器には少なくとも１つのタイプの薬剤（１錠以上の丸薬等）を入れ、第２容器には飲用液を入れる。
【０００５】
第１容器は、ヒンジ部材によって、開放位置と閉鎖位置との間枢動可能なように第２容器に連結される。ヒンジ部材はロック構造を有し、このロック構造を作動させて第１容器と第２容器とを開放位置にロックする。
【０００６】
本発明は、第１容器と第２容器とが閉鎖位置にある時、この第１容器と第２容器との間にスナップ嵌め連結をもたらすロック機構も含む。
【０００７】
第１シールが第１容器の第１半球部に結合し、第２シールが第２容器の円筒部に結合している。第１シールは第１タブを有し、この第１タブを引っ張って第１シールを剥がすと第１容器内の薬剤にアクセスすることができる。第２シールは第２タブを有し、この第２タブを引っ張って第２シールを第２容器から剥がすと飲用流体にアクセスすることができ、これによって、薬剤と飲用流体とを摂取することができる。
【図面の簡単な説明】
【０００８】
【図１】本発明の自蔵式投薬具の斜視図
【図２】部分的な開放位置にある自蔵式投薬具の斜視図
【図３】完全な開放位置にある自蔵式投薬具の斜視図
【図４】完全な開放位置にあり、シールの１つを部分的に剥がした自蔵式投薬具の斜視図
【図５】完全な開放位置にあり、シールの１つを完全に剥がした自蔵式投薬具の斜視図
【図６】完全な開放位置にあり、両方のシールを剥がした自蔵式投薬具の斜視図
【図７Ａ】完全な開放位置にあり、両方のシールを剥がした自蔵式投薬具の部分側断面図
【図７Ｂ】完全な開放位置にあり、両方のシールを剥がした自蔵式投薬具の上面図
【発明を実施するための形態】
【０００９】
本発明の応用可能な分野は、以下の詳細な説明から明らかとなる。詳細な説明及び具体例は、本発明の好ましい実施形態を示すものではあり説明のためのものにすぎず、本発明の範囲を限定すること意図していない。
【００１０】
本発明は、詳細な説明及び添付の図面からより完全に理解されるだろう。
好ましい実施形態についての以下の説明は本質的に単なる例示であり、また本発明、その応用または用途を限定することを意図していない。
【００１１】
自蔵式投薬具のある実施形態を、図において概して１０で示す。投薬具１０は、概して１２で示される第１容器と、概して１４で示される第２容器との少なくとも２つの容器を含む。第２容器１４は実質的な円筒部１６を有する。第１容器１２は第１半球部１８から成り、この第１半球部１８は円筒部１６に枢結されている。第２容器１４の一部として形成された第２半球部２０もあり、円筒部１６に連結されている。
【００１２】
第１容器１２は第２容器１４にヒンジ部材２２及び概して２４で示されるロック機構で連結される。このロック機構２４で第１容器１２と第２容器１４とをスナップ嵌め連結し、これによって、第１容器１２は第２容器１４に対してヒンジ部材２２を軸として枢動可能となり、またロック機構２４は、容器１２、１４を互いに動かないように連結するよう作動できる。
【００１３】
ロック機構２４は、円筒部１６の一部として形成されたくぼみ２６と、第１半球部１８の一部として形成された張り出しリップ２８と、円筒部１６の一部として形成された傾斜リップ５４とを含む。張り出しリップ２８は接触面５６を含む傾斜部を有し、投薬具１０が図１に示されるような閉鎖位置にある時、この接触面５６は、傾斜リップ５４の対応する接触面５８と接触して締まり嵌めを形成し、投薬具１０を閉鎖位置に固定する。閉鎖位置にある時、張り出しリップ２８の底面６０は、円筒部１６の一部として形成されたレッジ７２と接触している。
【００１４】
図３〜７Ｂに示されるように、投薬具１０を開放位置に変更したい場合、くぼみ２６の領域において張り出しリップ２８の底面６０に力を加え、張り出しリップ２８及び傾斜リップ５４をたわませると、接触面５６、５８が互いに擦れて張り出しリップ２８が傾斜リップ５４から外れるため、第１容器１２を第２容器１４に対してヒンジ部材２２を軸として枢動させることができる。くぼみ２６が、張り出しリップ２８の底面６０への容易なアクセスが可能となる。
【００１５】
開放位置に移動させると、ヒンジ部材２２が、第１容器１２の位置を、閉鎖位置にある時の第１容器１２の位置に対して１８０度で維持する（角度３０で示される）。これは、概して３２で示される、ヒンジ部材２２の一部として形成されたロック構造によって達成される。ロック構造３２は、ヒンジ部材２２の形状によって形成される。第１たわみ部３４と第２たわみ部３６とがあり、第１容器１２を第２容器１４に対して開放位置に枢動させると、図３〜６に示されるように、たわみ部３４、３６が第１容器１２を正しい位置にロックする。
【００１６】
第１半球部１８には第１シール３８が位置し、円筒部１６には第２シール４０が位置している。第１シール３８は第１半球部１８の一部として形成されたリップ４２上に置かれ、リップ４２に接着剤で結合させる。第２シール４０は、円筒部１６の一部として形成された傾斜リップ５４の上面７０の一部の上に置かれ、同じく上面７０に接着剤で取り付けられる。上面７０に結合した第２シール４０及びリップ４２に結合した第１シール３８は、ロック機構２４の動作を妨げない。この実施形態におけるシール３８、４０は薄い可撓性のプラスチック材料から形成されるが、他のタイプの材料、例えば薄いアルミ箔、透明プラスチック、第１容器１２を第２容器１４から分離する機能を果たす他の適切な材料などの使用も本発明の範囲内である。
【００１７】
第１シール３８は第１タブ４６も有し、第２シール４０は第２タブ４８を有する。シール３８、４０によって、容器１２、１４の内容積を互いから隔てる。薬剤５０は第１容器１２に格納され、飲用液５２（この実施形態においては水）は第２容器１４に格納される。
【００１８】
投薬具１０は典型的には格納位置にあり、薬剤５０を服用したい時に、ユーザは、第１容器１２が開放位置にロックされるように投薬具１０を変化させるだけである。本質的に、ユーザは底面６０に力を加えることで張り出しリップ２８及び傾斜リップ５４をたわませ、上述したように、第１容器１２が開放位置にロックされるまで第１容器１２を第２容器１４に対して枢動させる。ロック構造３２が第１容器１２の位置を開放位置に維持し、また第１容器１２が閉鎖位置へと意図せずして戻るのを防止する。
【００１９】
次に、図４で最もよく示されるように、第１シール３８をリップ４２に結合している接着剤の力を超える十分な力で第１タブ４６を引っ張ることによって第１シール３８を剥がし、薬剤５０を第１容器１２から取り出して服用する。次に、第２シール４０を上面７０に結合している接着剤の力を超える十分な力で第２タブ４８を引っ張ることによって第２シール４０を第２容器１４から剥がし、水５２を摂取する。本発明の投薬具１０によって、丸薬の瓶または水の瓶を開封する際にその丸薬の瓶または水の瓶を支持するための面を必要としないため、歩きながらまたは他の作業をしながら両手を使って投薬具１０を取り扱うことができるという利点が得られる。
【００２０】
あるいは、ユーザは、薬剤５０または水５２を摂取する前に両方のシール３８、４０を剥がし、それから薬剤５０と水５２とを慣用のやり方で服用してもよい。投薬具１０によって、薬剤を瓶ごと及び服薬の際に飲むための水の瓶を別に携行することなく、単純だが効果的なやり方で薬剤を旅行に携行することができる。各容器１２、１４は使い捨てでありかつリサイクル可能な材料から成るため、薬剤と水の摂取後、投薬具１０全体を分別用のゴミ箱に捨てることができる。シール３８、４０を一旦剥がしてしまったら、シール３８、４０を投薬具１０（ロック機構２４によってスナップ閉鎖される）の内側に戻し、ユーザは、分別用のゴミ箱が見つかるまで投薬具１０を持ち歩くことができる。
【００２１】
本実施形態において、投薬具１０の全長は約３．５インチであり、第１容器１２は約０．５インチの長さ６２を有し、第２容器１４は約３．０インチの長さ６４を有する。容器１２、１４の直径６６は約１．２５インチである。加えて、投薬具１０の壁厚６８は約０．０３インチである。投薬具１０は、空港の手荷物検査で持ち込みが許される最大量の水（約２．７オンス。これは手荷物検査で持ち込みが許される最大３．０オンスより０．３オンス少ない）だけを入れるのに十分な小ささであるため、旅行時に投薬具１０を機内に持ち込むことができる。しかしながら、代替の実施形態において、投薬具１０を、異なる量の薬剤５０及び異なる量の水５２を収める異なるサイズで形成してもよい。
【００２２】
上記の説明は本質的に単なる例示に過ぎないため、本発明の趣旨から逸脱しない変形も本発明の範囲内に含まれる。そのような変形は、本発明の趣旨及び範囲からの逸脱ではない。
【図１】
2012245354.tif 000003
【図２】
2012245354.tif 000004
【図３】
2012245354.tif 000005
【図４】
2012245354.tif 000006
【図５】
2012245354.tif 000007
【図６】
2012245354.tif 000008
【図７Ａ】
2012245354.tif 000009
【図７Ｂ】
2012245354.tif 000010
【外国語明細書】
2012245354000001.pdf